(57)【要約】  【目的】  デザイン性や通風性を損なわず、優れたイルミネーション効果を発現する壁体を構築することのできる照明付きコンクリート積みブロックを提供する。  【構成】  コンクリート製の枠体１内上部に照明器本体６を取り付ける。枠体１はその厚さＴ方向に貫通する空洞部２をもち、照明器本体６に対向する枠体１の内部底面２Ｃは、照明器本体６による照射光を外方に放つ反射面として枠体１の厚さＴ方向に傾斜される。照明器本体６の取付面を成す空洞部の上面２Ｂには、照明器本体６に接続する通電線１４を外部に引き出すための透孔５が形成される。又、透孔５が開通する枠体の外部上面１Ｂには枠体の厚さＴ方向に直交して配線用の溝４が形成される。そして、係るブロックを積み上げて優れたイルミネーション効果を発現する壁体を構築することができる。【選択図】  図１
2005093288.tif 000002
【特許請求の範囲】
【請求項１】
厚さ方向に貫通する空洞部をもつコンクリート製の枠体と、該枠体内に取り付けられる照明器本体とを有する照明付きコンクリート積みブロックであって、
前記照明器本体に対向する枠体の内面部は、照明器本体による照射光を外方に放つ反射面として枠体の厚さ方向に傾斜され、前記枠体における照明器本体の取付面には、照明器本体に接続する通電線を外部に引き出すための透孔が形成されると共に、その透孔が開通する枠体の外面には該枠体の厚さ方向に直交して配線用の溝が形成されることを特徴とする照明付きコンクリート積みブロック。
【請求項２】
照明器本体の前後両端に空洞部の開度より小さい遮光性の化粧板が設けられると共に、前記照明器本体の後部が該照明器本体に装着される光源を交換できるように枠体から離脱可能とされていることを特徴とする請求項１記載の照明付きコンクリート積みブロック。
【発明の詳細な説明】
【技術分野】
【０００１】
本発明はコンクリート塀などの壁体を構築するのに用いられる積みブロックに係わり、特に優れたイルミネーション効果を発現する壁体を構築することのできる照明付きコンクリート積みブロックに関する。
【背景技術】
【０００２】
一般に、家屋や敷地の囲いとする塀はコンクリートブロックを積み上げて構築されるが、係る積みブロックとしては高さ方向に貫通する空洞部をもつ空洞コンクリートブロックが多用される（例えば、特許文献１）。
【０００３】
しかし、その空洞部はブロックの軽量化や補強用鉄筋の挿入を目的としたものであり、係るブロックによって形成される壁面は平坦で趣がなく、しかも高く積み上げた場合には建物の一階部分が外部から完全に遮蔽されてしまうために空巣狙いが侵入し易いという問題があった。
【０００４】
そこで、近年では塀などを構築するコンクリート積みブロックとして、図１０のように厚さ方向に貫通する空洞部Ｃを形成したものが普及している（例えば、非特許文献１）。
【０００５】
【特許文献１】特開平７−２７９２７７号公報（図２）
【０００６】
【非特許文献１】株式会社ユニソン西日本、“製品紹介”[online]、ＷＡＬＬＩＮＧ：ウインドウ        ブロック（穴あきブロック)、［平成１５年９月１日検索］、インターネット＜        ＵＲＬ：http://www.unison-net.com/catalog2/catalog_02.html
【発明の開示】
【発明が解決しようとする課題】
【０００７】
然し乍ら、空洞部が厚さ方向に貫通されている従来のコンクリート積みブロックは、空洞部を様々な形状にしてデザイン性の向上を図っているにすぎない。よって、係るブロックは美的な壁体を構築しながら、空巣狙いを防止したり通風性を高める効果を得られるものの、それ以外に格別な効果を得られるものではない。
【０００８】
そこで、本願発明者はその種のブロック内にランプソケットを取り付けたものを試作し、これを積み上げることによってイルミネーション効果を発現する塀を構築できることを創案した。しかし、ランプソケットが外部から丸見えの状態で、しかもランプソケットに接続する通電線が空洞部から垂れ下がった状態では美観を損ねるという問題があった。尚、ランプソケットを遮蔽するため、空洞部の両側に乳白色などの半透明な板を取り付けることも考えられるが、これではブロック本体のデザイン性や通風性が損なわれるという問題がある。
【０００９】
本発明は以上のような事情に鑑みて成されたものであり、その目的はデザイン性や通風性を損なわず、優れたイルミネーション効果を発現する壁体を構築することのできる照明付きコンクリート積みブロックを提供することにある。
【課題を解決するための手段】
【００１０】
上記目的を達成するため、本発明は厚さ方向に貫通する空洞部をもつコンクリート製の枠体と、該枠体内に取り付けられる照明器本体とを有する照明付きコンクリート積みブロックであって、前記照明器本体に対向する枠体の内面部は、照明器本体による照射光を外方に放つ反射面として枠体の厚さ方向に傾斜され、前記枠体における照明器本体の取付面には、照明器本体に接続する通電線を外部に引き出すための透孔が形成されると共に、その透孔が開通する枠体の外面には該枠体の厚さ方向に直交して配線用の溝が形成されることを特徴とする。
【００１１】
又、上記のような照明付きコンクリート積みブロックにおいて、照明器本体の前後両端に空洞部の開度より小さい遮光性の化粧板が設けられると共に、前記照明器本体の後部が該照明器本体に装着される光源を交換できるように枠体から離脱可能とされていることを特徴とする。
【発明の効果】
【００１２】
本発明に係る照明付きコンクリート積みブロックによれば、コンクリート製の枠体内に照明器本体が設けられることから、優れたイルミネーション効果を発現する壁体を構築することができ、しかも照明器本体に対向する枠体の内面部が照明器本体による照射光を外方に放つ反射面として枠体の厚さ方向に傾斜されていることから、空洞部を半透明な板などで密閉せずして光源の存在を気づかせずに光だけを外部に漏らすことができ、更に間接照明方式であるから防眩効果も得られる。
【００１３】
又、枠体における照明器本体の取付面には、照明器本体に接続する通電線を外部に引き出すための透孔が形成されると共に、その透孔が開通する枠体の外面には該枠体の厚さ方向に直交して配線用の溝が形成されることから、通電線を壁体の側面から引き出して美観を損なわない。
【００１４】
更に、照明器本体の前後両端に空洞部の開度より小さい遮光性の化粧板が設けられることから、通風性を確保しながら光源を隠して美観を損なわず、しかも照明器本体の後部が枠体から離脱可能とされることから、光源の交換も容易に行うことができる。
【発明を実施するための最良の形態】
【００１５】
以下、本発明を図面に基づいて詳しく説明する。図１は係る照明付きコンクリート積みブロックを示した斜視分解図である。図１において、１は矩形状をしたコンクリート製の枠体であり、本例ではその厚さＴが１２０mm、高さＨおよび幅Ｗがそれぞれ１９０mmに設定されている。
【００１６】
係る枠体１において、その内部は四角の貫通孔である空洞部２として厚さＴ方向に貫通され、枠体１の外面（側面１Ａ及び上面１Ｂ）にはそれぞれ該枠体の厚さＴ方向に直交して半円状の溝３，４が形成される。このうち、相対する外部側面１Ａ，１Ａに形成される溝３は鉄筋(縦筋)を通すために用いられ、外部上面１Ｂに形成される溝４は鉄筋(横筋)ほか、後述する照明器本体に接続する通電線を通す配線用として兼用される。そして、その溝４の中央部には空洞部２に通じる透孔５が形成され、その透孔５を通じて枠体１の内部から外部に上記の通電線が引き出される構成としてある。
【００１７】
６は枠体内に取り付けられる照明器本体であり、この照明器本体６は下部開口型のケーシング７と、その内部に収容される後述のランプソケットとを具備して構成される。このうち、ケーシング７は前端に化粧板８Ａを備えるフロントケース８と、後端に化粧板９Ａを備えるリアケース９とで構成される。フロントケース８はその上面に透孔５と対応するＵ字形の切欠部８Ｂを形成して枠体１の内部（空洞部の上面２Ｂ）に接着剤で固定され、リアケース９はランプソケットを固定する座板９Ｂを有してフロントケース８の後部にビス留めされて枠体１からの離脱が可能とされる。
【００１８】
図２はフロントケースの断面図、図３はリアケースの断面図である。図２において、１０はリアケース９を結合するためのネジ穴であり、このネジ穴１０はフロントケース８の左右両側にあって側壁８Ｃの後端面から斜め上方に穿たれる。
【００１９】
一方、図３のようにリアケース９にはネジ穴１０に対応して図示せぬビスの通し孔１１が形成される。特に、通し孔１１は段差を有してリアケースの側壁９Ｃをその底部から斜め上方に向かって貫通する。よって、リアケース９後部の化粧板９Ａ上にビス及びその通し孔１１が現れず、美観を損なわない。又、図３において、１２は座板９Ｂに固定した上記のランプソケットであり、このランプソケット１２には光源１３（電球）が着脱可能にして装着され、ランプソケット１２の後部には上記の通電線１４が接続される。
【００２０】
次に、図４は枠体の正面図であり、図５及び図６には図４におけるＡ−Ａ、Ｂ−Ｂ断面を示す。図４から明らかなように、枠体の内部上面２Ｂは照明器本体６を固定する取付面とされ、この面２Ｂには図５のように枠体１の外部上面１Ｂに開通する上記の透孔５が形成される。又、照明器本体６及びその取付面２Ｂに対向する枠体１の内面部（空洞部２の前方側における底面２Ｃ）は、照明器本体６による照射光を外部に放つ反射面として、図５のように枠体１の厚さＴ方向に傾斜される。
【００２１】
更に、本例において、照明器本体の取付面２Ｂに直交する内面部（空洞部２の前方側における両側面２Ａ）も図６のように枠体１の厚さＴ方向に傾斜されている。特に、それら底面２Ｃ及び両側面２Ａは枠体１の前方に向かって広がる斜面とされる。よって、照明器本体６から底面２Ｃに照射された光は空洞部２の一端から前方側に放射され、係る底面２Ｃ及び照明器本体６から両側面２Ａに入射した光も空洞部２の一端から前方側に放射される。特に、照明器本体６に対向する底面２Ｃは、照明器本体６からの光を多量に受けて明るく光り、優れたイルミネーション効果を発現する。
【００２２】
図７は照明器本体の取付状態を示した枠体の縦断面であり、図中の矢印は光の進路を示している。図７から明らかなように、ランプソケット１２及びこれに装着される光源１３は遮光性を有する化粧板８Ａ，９Ａの間に配されるのであり、このためランプソケット１２と光源１３が化粧板８Ａ，９Ａにより隠されて美観を損なわない。特に、化粧板８Ａ，９Ａは空洞部２の開度より小さい板であり、係る化粧板８Ａ，９Ａを前後両端にもつ照明器本体６は空洞部２の底面２Ｃとの間に所定の空き領域を残して取り付けられる。このため、照明器本体６から放射される光を底面２Ｃなどに反射させて外部に漏らすことができ、枠体１の通風性も確保される。
【００２３】
次に、図８は以上のように構成される照明付きコンクリート積みブロックの使用態様を示す。この図から明らかなように、係るブロックは基礎１５などの上に積み上げられてコンクリート壁体を形成する。尚、図８には空洞部２をもたないブロックと組み合わせて壁体を構築しているが、本発明に係るブロックのみを積み上げて壁体を構築することもできる。
【００２４】
ここで、照明器本体６に接続する通電線１４は上下のブロック間を通して壁体の側面より外部に引き出される。特に、図９のように枠体１の外部上面１Ｂに形成した溝４には、図示せぬ横筋ほか電線管１６が配置され、その電線管１６の内部に通電線１４が通されるようにしてある。よって、通電線１４を保護して漏電などを防止することができる。
【００２５】
以上、本発明ついて説明したが、係る照明付きコンクリート積みブロックは以上のような構成に限らず、照明器本体６を枠体１内の底部に取り付けるようにしてもよい。又、空洞部２は矩形の穴に限らず、丸穴などとしてもよい。更に、光源１３としてＬＥＤなどを用いることもできる。
【図面の簡単な説明】
【００２６】
【図１】本発明に係る照明付きコンクリート積みブロックを示す斜視分解図
【図２】照明器本体を構成するフロントケースの断面図
【図３】照明器本体を構成するリアケースの断面図
【図４】枠体の正面図
【図５】図４におけるＡ−Ａ断面図
【図６】図４におけるＢ−Ｂ断面図
【図７】照明器本体を枠体内に取り付けた状態を示す説明図
【図８】本発明に係るブロックの使用態様を示した斜視図
【図９】照明器本体に接続する通電線の配置状態を示す部分断面図
【図１０】従来ブロックを示す斜視図
【符号の説明】
【００２７】
１  枠体
１Ａ  外部側面
１Ｂ  外部上面
２  空洞部
２Ａ  内部側面
２Ｂ  内部上面
２Ｃ  内部底面（反射面）
４  溝
５  透孔
６  照明器本体
７  ケーシング
８  フロントケース
８Ａ  化粧板
９  リアケース
９Ａ  化粧板
１２  ランプソケット
１３  光源
１４  通電線
１６  電線管
【図１】
2005093288.tif 000003
【図２】
2005093288.tif 000004
【図３】
2005093288.tif 000005
【図４】
2005093288.tif 000006
【図５】
2005093288.tif 000007
【図６】
2005093288.tif 000008
【図７】
2005093288.tif 000009
【図８】
2005093288.tif 000010
【図９】
2005093288.tif 000011
【図１０】
2005093288.tif 000012